(57)【要約】【課題】故障や誤配線があった場合、素早く検知して安全側に動作させることで、予想外の高温出湯を防止することを目的としたものである。【解決手段】貯湯タンク１１からの湯と水を混合して給湯する給湯混合弁２１と、給湯温度を検出する給湯温度センサ２３と、給湯流量を検出する給湯流量センサ２２からなる給湯配管回路と、前記貯湯タンク１１からの湯と水を混合して風呂湯張りをする風呂混合弁３１と、風呂湯張り温度を検出する風呂湯張り温度センサ３３と、風呂湯張り流量を検出する風呂流量センサ３２と注湯弁３４からなる風呂湯張り配管回路と、前記給湯配管回路と風呂湯張り回路の湯温をそれぞれ制御する制御装置４１とを備え、前記制御装置４１は、前記どちらかの温度センサが設定温度より一定温度以上高い湯温を検出すると異常と判断し、前記両方の混合弁２１、３１を水側に制御する構成としてある。【選択図】  図１
2004257615.tif 000002
【特許請求の範囲】
【請求項１】
貯湯タンクからの湯と水を混合して給湯する給湯混合弁と、給湯温度を検出する給湯温度センサと、給湯流量を検出する給湯流量センサからなる給湯配管回路と、前記貯湯タンクからの湯と水を混合して風呂湯張りをする風呂混合弁と、風呂湯張り温度を検出する風呂湯張り温度センサと、風呂湯張り流量を検出する風呂流量センサと注湯弁からなる風呂湯張り配管回路と、前記給湯配管回路と風呂湯張り回路の湯温をそれぞれ制御する制御装置とを備え、前記制御装置は、前記どちらかの温度センサが設定温度より一定温度以上高い湯温を検出すると異常と判断し、前記両方の混合弁を水側に制御することを特徴とする貯湯式温水器。
【請求項２】
制御装置は、どちらかの温度センサが予め定めた所定温度以上を検出すると異常と判断し、両方の混合弁を水側に制御することを特徴とする請求項１記載の貯湯式温水器。
【請求項３】
制御装置は、どちらか一方の流量センサの検出信号を受けたとき、どちらかの温度センサが設定温度より一定温度以上高い湯温を検出すると異常と判断し、両方の混合弁を水側に制御することを特徴とする請求項１記載の貯湯式温水器。
【請求項４】
制御装置は、どちらか一方の流量センサの検出信号を受けたとき、どちらかの温度センサが予め定めた所定温度以上を検出すると異常と判断し、両方の混合弁を水側に制御することを特徴とする請求項２記載の貯湯式温水器。
【請求項５】
制御装置は、異常と判断し混合弁を水側に制御する際、異常警告を報知する異常報知手段を設けたことを特徴とする請求項１〜４のいずれか１項記載の貯湯式温水器。
【発明の詳細な説明】
【０００１】
【発明の属する技術分野】
本発明は、貯湯式温水器の給湯制御に関するものである。
【０００２】
【従来の技術】
近年、台所等への一般給湯動作の他に、風呂装置にも多様な機能が求められている。例えば、設定水位まで自動的に湯水を落とし込む自動風呂湯張り機能、風呂湯水を好みの温度まで焚き上げる追い焚き機能、市水からの入水を一定量風呂に落とし込んで風呂湯水温度を低下させるぬるめ機能、加熱された湯水を一定量風呂に落とし込む足し湯機能等がある。そこで、上記の多様な機能に対応させるため、貯湯タンクからの出湯経路をとして２系統の給湯配管回路を設けることにより、一般給湯と風呂給湯を同時に使用できるようになっている（特許文献１参照）。
【０００３】
【特許文献１】
特開２００２−４８４０９号公報
【０００４】
【発明が解決しようとする課題】
しかしながら従来構成において、多様な機能を実現するために設けた２系統の給湯配管回路の混合弁、給湯温度センサ、流量センサーがメンテナンスやサービス時に誤接続された場合には必ずしも安全ではなかった。例えば、給湯混合弁と風呂混合弁が逆に接続された場合、風呂湯張り時には風呂混合弁は制御されず、給湯混合弁が間違って制御されることになり、風呂湯張り温度が設定湯温より低ければ給湯混合弁が湯側に動作してしまう。このような制御が行われた後に、給湯を行うと９０度近い熱湯がそのまま出湯されることになる。
【０００５】
また、給湯温度センサと風呂湯張り温度センサが間違って接続された場合、給湯時に給湯混合弁を制御しても給湯センサの温度は上昇せず、給湯混合弁はさらに湯側に制御され９０度近い熱湯が出湯されることになる。流量センサの場合も同様で、風呂湯張り時に給湯流量弁が流量検知するが、実際には給湯されていないので給湯温度センサの温度は低いままで給湯混合弁が湯側に制御されることになり、次に給湯されると給湯混合弁が湯側になっているため、９０度近い熱湯が出湯されることになる。
【０００６】
以上のように、給湯側と風呂側の部品が誤接続されると、設定した条件以外の条件で動作することになり、高温出湯など予想外の結果を招く恐れがある。
【０００７】
そこで本発明は、上記の如く故障や誤配線があった場合、素早く検知して安全側に動作させることで、予想外の高温出湯を防止し、安全な貯湯式温水器を提供することを目的としたものである。
【０００８】
【課題を解決するための手段】
本発明は上記課題を解決するために、貯湯タンクからの湯と水を混合して給湯する給湯混合弁と、給湯温度を検出する給湯温度センサと、給湯流量を検出する給湯流量センサからなる給湯配管回路と、前記貯湯タンクからの湯と水を混合して風呂湯張りをする風呂混合弁と、風呂湯張り温度を検出する風呂湯張り温度センサと、風呂湯張り流量を検出する風呂流量センサと注湯弁からなる風呂湯張り配管回路と、前記給湯配管回路と風呂湯張り回路の湯温をそれぞれ制御する制御装置とを備え、前記制御装置は、前記どちらかの温度センサが設定温度より一定温度以上高い湯温を検出すると異常と判断し、前記両方の混合弁を水側に制御するように構成している。
【０００９】
上記発明によれば、給湯混合弁と風呂混合弁が逆に接続された場合、風呂湯張り時には、風呂混合弁は制御されず給湯混合弁が間違って制御され、風呂湯張り温度が設定湯温より低ければ給湯混合弁が湯側に動作してしまう。しかし、次に給湯を行うとき、給湯温度センサが設定温度より一定温度以上上昇したことを検知すると、両方の混合弁を水側に制御するので、熱いお湯がそのまま出湯されるのを防ぐことができる。また、給湯温度センサと風呂湯張り温度センサが逆に接続された場合、給湯時に給湯混合弁を制御しても給湯センサの温度は上昇せず、給湯混合弁はさらに湯側に制御されるが、誤接続された風呂湯張り温度センサが給湯温度の上昇を検知し、設定温度から一定温度以上上昇した時点で両方の混合弁を水側に制御するので、熱いお湯がそのまま出湯されるのを防ぐことができる。流量センサを誤接続した場合も同様で、風呂湯張り時に給湯流量弁が流量検知するが、実際には給湯されていないので給湯温度センサの温度は低いままで給湯混合弁が湯側に制御される。次に給湯されると、給湯混合弁が湯側になっているが給湯温度センサが給湯温度の上昇を検知し、設定温度から一定温度以上上昇した時点で、両方の混合弁を水側に制御するので、熱いお湯がそのまま出湯されるのを防ぐことができる。
【００１０】
【発明の実施の形態】
請求項１に記載の発明は、貯湯タンクからの湯と水を混合して給湯する給湯混合弁と、給湯温度を検出する給湯温度センサと、給湯流量を検出する給湯流量センサからなる給湯配管回路と、前記貯湯タンクからの湯と水を混合して風呂湯張りをする風呂混合弁と、風呂湯張り温度を検出する風呂湯張り温度センサと、風呂湯張り流量を検出する風呂流量センサと注湯弁からなる風呂湯張り配管回路と、前記給湯配管回路と風呂湯張り回路の湯温をそれぞれ制御する制御装置とを備え、前記制御装置は、前記どちらかの温度センサが設定温度より一定温度以上高い湯温を検出すると異常と判断し、前記両方の混合弁を水側に制御する構成としたことを特徴とするものである。
【００１１】
そして、給湯混合弁と風呂混合弁が逆に接続された場合、あるいは給湯温度センサと風呂湯張り温度センサが逆に接続された場合、あるいは給湯流量センサと風呂流量センサが逆に接続された場合は、設定条件とは異なる条件で給湯動作あるいは風呂湯張り動作が行われることになり、給湯あるいは風呂湯張り時に設定温度より高い高温のお湯が出湯されることになる。そこで、請求項１においては、給湯温度センサあるいは風呂湯張り温度センサが設定温度より一定温度以上高い湯温を検出すると、誤接続による異常動作であると判断し、両方の混合弁を水側に制御することで、熱いお湯がそのまま出湯され続けることがないようにして安全性を確保している。
【００１２】
請求項２に記載の発明は、制御装置がどちらかの温度センサが予め定めた所定温度以上を検出すると異常と判断し、両方の混合弁を水側に制御する構成としたことを特徴とするものである。
【００１３】
そして、請求項１と同様に誤接続されて高温のお湯が出湯されても、どちらかの温度センサが予め定めた所定温度以上を検出すると、両方の混合弁を水側に制御するので熱いお湯がそのまま出湯されるのを防ぐことができる。
【００１４】
請求項３に記載の発明は、制御装置がどちらか一方の流量センサの検出信号を受けたとき、どちらかの温度センサが設定温度より一定温度以上であれば異常と判断し、両方の混合弁を水側に制御する構成としたことを特徴とするものである。
【００１５】
そして、流量センサで給湯あるいは風呂湯張りしていることを検知している時のみ、誤接続時の温度上昇を検知するようにしているので、給湯あるいは風呂湯張りしていない時に熱伝導による温度上昇等で誤検知することがなく、信頼性の高い異常検知を行うことができる。
【００１６】
請求項４に記載の発明は、制御装置がどちらかの一方の流量センサの検出信号を受けたとき、どちらかの温度センサが予め定めた所定温度以上を検出したとき異常と判断し、両方の混合弁を水側に制御する構成としたことを特徴とするものである。
【００１７】
そして、流量センサで給湯あるいは風呂湯張りしていることを検知している時のみ、誤接続時の温度上昇を検知するようにしているので、給湯あるいは風呂湯張りしていない時に熱伝導による温度上昇等で誤検知することがなく、信頼性の高い異常検知を行うことができる。
【００１８】
請求項５に記載の発明は、制御装置が異常検知したとき、異常警告を報知する異常報知手段を設けた構成としたことを特徴とするものである。
【００１９】
そして、機器の異常発生時に使用者に報知することができ、安全性が向上する。
【００２０】
【実施例】
以下、本発明の実施例について図面を用いて説明する。
【００２１】
（実施例１）
図１は本発明の実施例１における電気温水器の断面図、図２は制御ブロック図である。
【００２２】
図１において、１０は給水配管、１１は給水配管１０を底部に接続した貯湯タンクで、１２は減圧弁で貯湯タンク１１の水圧を減圧するようになっている。また、貯湯タンク１１には、貯湯タンク１１内の大容量の水を加熱する電気ヒータ１３が配設されている。
【００２３】
１４は貯湯タンク１１の上部に接続した出湯配管で、給湯用の給湯混合弁２１とふろ湯はり用のふろ混合弁３１の湯側に接続されている。給湯混合弁２１、ふろ混合弁３１の水側は、減圧弁１２を介して給水配管１０に接続されている。給湯混合弁２１の出口は、給湯流量センサー２２を介して所定の場所、例えば台所や浴室の給湯口等へとつながっている。２３は給湯温度センサで、給湯混合弁２１の出湯温度を検出する。ふろ混合弁３１の出口は、ふろ流量センサー３２、注湯弁３４を介して浴槽につながっている。３３はふろ給湯温度センサで、ふろ混合弁３１の出湯温度を検出する。出湯配管１４から給湯側または、ふろ側に出湯すると、それに伴い給水配管１０から貯湯タンク１１内に水が給水される。この際、貯湯タンク１１内では比重差から湯が上部、水が下部に分離した状態で溜まるようになっている。また、電気ヒータ１３は、貯湯タンクの水を加熱して、貯湯タンク１１全体を沸き上げるようになっている。
【００２４】
制御装置４１には、給湯流量センサ２２からの流量  、給湯温度センサ２３からの給湯温度と、ふろ流量センサ３２からの流量  、ふろ給湯温度センサ３３からのふろ給湯温度とが入力されている。また、制御装置４１には、台所リモコン２４からの給湯温度設定と、ふろリモコン３５  からのふろ設定温度、ふろ湯はり積算流量がそれぞれ入力されている。制御装置４１の出力は、給湯混合弁２１、ふろ混合弁３１と、注湯弁３４に接続されている。
【００２５】
制御装置４１は、給湯口が開けられ、給湯流量センサ２２からの検知信号を入力すると給湯混合弁２１が作動し、給湯温度がリモコン２４で設定された給湯温度設定になるように給湯混合弁２１を駆動制御する。また、制御装置４１は、給湯が停止されると、給湯混合弁２１による温度制御動作を停止し、給湯混合弁２１の作動を停止させる。
【００２６】
また、制御装置４１は、浴槽にふろ湯はりするとき、台所リモコン２４またはふろリモコン３５  からふろ湯はり信号が入ると、注湯弁３４を開いて浴槽に対するふろ湯はりを開始し、ふろ湯張り温度がふろリモコン３５で設定されたふろ温度設定になるようにふろ混合弁３１を駆動制御する。ふろ流量センサ３２からの検知信号を積算しふろリモコン３５で設定された積算流量に達すると、注湯弁３４を閉めふろ湯はりを完了する。
【００２７】
制御装置４１は、異常検知したとき、台所リモコン２４またはふろリモコン３５のどちらか、もしくは両方に異常検知の信号を送る。そして、台所リモコン２４及びふろリモコン３５は異常信号を受けると特定の異常表示をする。
【００２８】
次に、図３のフローチャートを用いて異常検知動作について説明すると、処理５１では給湯温度センサ２３で検知した給湯温度Ｔ１が台所リモコン２４で設定された設定温度Ｔ１ｓよりも一定温度ΔＴ１以上高いかどうかの判定を行う。高ければ処理５３へ進み、低ければ処理５２に進む。処理５２ではふろ給湯温度センサ３３で検知した給湯温度Ｔ２がふろリモコン３５で設定された設定温度Ｔ２ｓよりも一定温度ΔＴ２以上高いかどうかの判定を行う。高ければ処理５３へ進み、低ければ異常なしとして他の処理に進む。処理５３では、異常処理で給湯混合弁２１及びふろ混合弁３１を水側に駆動し、処理５４に進む。処理５４では異常報知信号をリモコンに出力し他の処理に進む。
【００２９】
ここで、給湯混合弁２１とふろ混合弁３１が逆に接続された場合、ふろ湯はり時には、ふろ混合弁３１は制御されず給湯混合弁２１が間違って制御される。ふろ湯はり温度Ｔ２が設定湯温Ｔ２ｓより低ければ給湯混合弁２１が湯側に動作してしまう。そして、次に給湯を行うとき、給湯混合弁２１は湯側位置となっているため、貯湯タンク１１の上部の温度（約９０℃）のお湯がそのまま出湯され、給湯温度センサ２３は処理５１で設定温度Ｔ１（例えば４０℃）から一定温度ΔＴ１（例えば１０℃）以上上昇した（すなわち４０＋１０＝５０℃以上になった）ことを検知でき処理５３に進む。そして処理５３で両方の混合弁を水側に制御するので熱いお湯がそのまま出湯されるのを防ぐことができる。さらに処理５４で異常報知を行い、台所リモコン２４またはふろリモコン３５では、制御装置４１からの異常報知信号を受けて特定の異常報知がなされ、使用者に知らしめることができる。
【００３０】
次に、給湯温度センサ２３とふろ給湯温度センサ３３が逆に接続された場合、給湯時に給湯混合弁２１を制御しても給湯温度センサ２３の温度は上昇せず、給湯混合弁２１はさらに湯側に制御される。この時、誤接続されたふろ給湯温度センサ３３が給湯温度の上昇を検知し処理５２でふろリモコン３５で設定された設定温度Ｔ２から一定温度ΔＴ２以上上昇したことが検知できる。処理５３に進む。そして処理５３で両方の混合弁２１、３１を水側に制御するので熱いお湯がそのまま出湯されるのを防ぐことができる。さらに処理５４で異常報知を行い、台所リモコン２４またはふろリモコン３５では、制御装置４１からの異常報知信号を受けて特定の異常報知がなされ、使用者に知らしめることができる。給湯混合弁２１が湯側に制御される。次に給湯されると、給湯混合弁２１が湯側になっているが給湯温度センサ２３が給湯温度の上昇を検知し、設定温度から一定温度上昇した時点で両方の混合弁２１、３１を水側に制御するので熱いお湯がそのまま出湯されるのを防ぐことができる。
【００３１】
また、流量センサ２２、３２が誤接続の場合も同様で、ふろ湯はり時に給湯流量センサ２２が流量検知するが、実際には給湯されていないので給湯温度センサ２３の温度は低いままで給湯混合弁２１が湯側に制御される。次に給湯されると、給湯混合弁２１が湯側になっているので熱いお湯出湯される。この時、給湯温度センサ２３の検知温度は上昇し、処理５１で設定温度Ｔ１から一定温度ΔＴ１以上上昇したことを検知でき処理５３に進む。そして処理５３で両方の混合弁２１、３１を水側に制御するので熱いお湯がそのまま出湯されるのを防ぐことができる。さらに処理５４で異常報知を行い、台所リモコン２４またはふろリモコン３５では、制御装置４１からの異常報知信号を受けて特定の異常報知がなされ、使用者に知らしめることができる。
【００３２】
このように、給湯側と風呂側の混合弁、温度センサ、流量センサが誤接続されても熱いお湯が出湯されつづけることはなく、リモコンで異常報知されるので使用者に知らしめることができ、安全性が向上する。
【００３３】
また、異常検知温度を、設定温度＋ΔＴとすることでより低い温度で、より早く異常が検知でき、誤判定もなく、確実に異常検知できる。
【００３４】
（実施例２）
図４は本発明の実施例２における制御装置のフローチャートである。実施例１で述べた部分と同じ部分は同一番号を付記して説明を省略し、異なる部分のみを説明する。
【００３５】
処理６１では給湯温度センサ２３で検知した給湯温度Ｔ１が予め定めた所定温度Ｔ１ｍよりも高いかどうかの判定を行う。高ければ処理６３へ進み、低ければ処理６２に進む。処理６２ではふろ給湯温度センサ３３で検知した給湯温度Ｔ２が予め定めた所定温度Ｔ２ｍよりも高いかどうかの判定を行う。高ければ処理５３へ進み、実施例１と同じ処理となる。
【００３６】
例えば、給湯混合弁２１とふろ混合弁３１が逆に接続された場合、ふろ湯はり時には、ふろ混合弁３１は制御されず給湯混合弁２１が間違って制御される。ふろ湯はり温度Ｔ２が設定温度Ｔ２ｓより低ければ給湯混合弁２１が湯側に動作してしまう。そして、次に給湯を行うとき給湯混合弁２１は湯側位置となっているため、貯湯タンク１１の上部の温度（約９０℃）のお湯がそのまま出湯され、給湯温度センサ２３は処理６１で所定温度Ｔ１ｍ（例えば６５℃）より上昇したことを検知でき、処理５３に進み実施例１と同様に、両方の混合弁２１、３１を水側に制御するので熱いお湯がそのまま出湯されるのを防ぐことができ、リモコンで特定の異常報知がなされ、使用者に知らしめることができる。
【００３７】
次に、給湯温度センサ２３と風呂給湯温度センサ３３が逆に接続された場合、給湯時に給湯混合弁２１を制御しても給湯温度センサ２３の温度は上昇せず、給湯混合弁２１はさらに湯側に制御される。この時、誤接続されたふろ給湯温度センサ３３が給湯温度の上昇を検知し、処理６２でふろリモコン３５で設定された所定温度Ｔ２ｍより上昇したことが検知でき、処理５３に進み実施例１と同様に、両方の混合弁を水側に制御するので熱いお湯がそのまま出湯されるのを防ぐことができ、リモコンで特定の異常報知がなされ、使用者に知らしめることができる。
【００３８】
また、流量センサ２２、３２が誤接続の場合も同様で、ふろ湯はり時に給湯流量センサ２２が流量検知するが、実際には給湯されていないので給湯温度センサ２３の温度は低いままで給湯混合弁２１が湯側に制御される。次に給湯されると、給湯混合弁２１が湯側になっているので熱いお湯出湯される。この時、給湯温度センサ２３の検知温度は上昇し、処理５１で所定温度Ｔ１ｍより上昇したことを検知でき、処理５３に進み実施例１と同様に、両方の混合弁２１、３１を水側に制御するので熱いお湯がそのまま出湯されるのを防ぐことができ、リモコンで特定の異常報知がなされ、使用者に知らしめることができる。
【００３９】
このように、給湯側と風呂側の混合弁、温度センサ、流量センサが誤接続されても熱いお湯が出湯されつづけることはなく、リモコンで異常報知されるので使用者に知らしめることができ、安全性が向上する。
【００４０】
また、異常検知温度を、予め定めた所定温度とすることで、判断処理が簡単にでき、所定温度を火傷しない温度に設定すれば、安全は確保できる。また、実使用の中で温度センサの検知温度にオーバーシュートが多少あっても、所定温度を超えなければ誤検知することもなく、安全かつ確実に異常検知できる。
【００４１】
（実施例３）
図５は本発明の実施例３における制御装置のフローチャートである。実施例１で述べた部分と同じ部分は同一番号を付記して説明を省略し、異なる部分のみを説明する。
【００４２】
処理７１では給湯流量センサ２２によりカラン等の給湯利用があったかどうかの判定を行う。給湯利用が行われ給湯流量センサ２２が流量を検知すると、処理５１に進み、以降、上記実施例１で述べた処理と同様の処理を行う。
【００４３】
また、処理７１で給湯利用がないと判定した場合は、処理７２に進み、風呂流量センサ３２により風呂湯張りが行われているかどうかの判定を行う。風呂の湯張りが行われ風呂流量センサ３２が流量を検知すると、処理５１に進み、以降、上記実施例１で述べた処理と同様の処理を行う。
【００４４】
また、処理７２で風呂湯張り動作が確認されない場合は、給湯温度あるいは風呂温度の異常検知は行わず、他の処理に進む。
【００４５】
このように、実施例３は給湯動作あるいは風呂湯張り動作が行われた場合のみ、給湯温度あるいは風呂温度が設定温度より一定温度以上上昇したかどうかを判定して、部品の誤接続を確認するようにしたもので、給湯あるいは風呂湯張りしていない時の熱伝導による温度上昇等で誤検知することがなく、信頼性の高い異常検知を行うことができる。
【００４６】
（実施例４）
図６は本発明の実施例４における制御装置のフローチャートである。実施例１で述べた部分と同じ部分は同一番号を付記して説明を省略し、異なる部分のみを説明する。
【００４７】
処理７１では給湯流量センサ２２によりカラン等の給湯利用があったかどうかの判定を行う。給湯利用が行われ給湯流量センサ２２が流量を検知すると、処理６１に進み、以降、上記実施例２で述べた処理と同様の処理を行う。
【００４８】
また、処理７１で給湯利用がないと判定した場合は、処理７２に進み、風呂流量センサ３２により風呂湯張りが行われているかどうかの判定を行う。風呂の湯張りが行われ風呂流量センサ３２が流量を検知すると、処理６１に進み、以降、上記実施例２で述べた処理と同様の処理を行う。
【００４９】
また、処理７２で風呂湯張り動作が確認されない場合は、給湯温度あるいは風呂温度の異常検知は行わず、他の処理に進む。
【００５０】
このように、実施例４は給湯動作あるいは風呂湯張り動作が行われた場合のみ、予め定めた所定温度と給湯温度あるいは風呂温度を比較し、異常の有無を判定することで部品の誤接続を確認するようにしたもので、給湯あるいは風呂湯張りしていない時の熱伝導による温度上昇等で誤検知することがなく、信頼性の高い異常検知を行うことができる。
【００５１】
【発明の効果】
以上のように本発明によれば、給湯混合弁と風呂混合弁が逆に接続された場合、あるいは給湯温度センサと風呂湯張り温度センサが逆に接続された場合、あるいは給湯流量センサと風呂流量センサが逆に接続された場合において、給湯温度センサあるいは風呂湯張り温度センサが設定温度より一定温度以上高い湯温を検出すると、誤接続による異常動作であると判断し、両方の混合弁を水側に制御するようにしているため、熱いお湯がそのまま出湯され続けることがなく、安全な貯湯式温水器を提供することができる。
【図面の簡単な説明】
【図１】本発明の実施例１における貯湯式温水器の構成図
【図２】同貯湯式温水器の制御ブロック図
【図３】同貯湯式温水器の制御フローチャート
【図４】本発明の実施例２における貯湯式温水器の制御フローチャート
【図５】本発明の実施例３における貯湯式温水器の制御フローチャート
【図６】本発明の実施例４における貯湯式温水器の制御フローチャート
【符号の説明】
１１  貯湯タンク
２１  給湯混合弁
２２  給湯流量センサ
２３  給湯温度センサ
３１  風呂混合弁
３２  風呂流量センサ
３３  風呂湯張り温度センサ
３４  注湯弁
４１  制御装置
【図１】
2004257615.tif 000003
【図２】
2004257615.tif 000004
【図３】
2004257615.tif 000005
【図４】
2004257615.tif 000006
【図５】
2004257615.tif 000007
【図６】
2004257615.tif 000008